Podtech/llm-jp-corpus-v4-ja_patent huggingface dataset:
【手続補正書】
【提出日】平成22年6月28日(2010.6.28)
【手続補正１】
【補正対象書類名】特許請求の範囲
【補正対象項目名】全文
【補正方法】変更
【補正の内容】
【特許請求の範囲】
【請求項１】
ＳｂＦ５の存在下にＲＦをＲ１Ｒ２Ｃ＝ＣＲ１Ｒ２と反応させてＲＲ１Ｒ２ＣＣＲ１Ｒ２Ｆを含む生成物混合物を生成する工程を含む、ＲＲ１Ｒ２ＣＣＲ１Ｒ２Ｆ（式中、ＲはＣＨ３、ＣＨ２Ｆ、Ｃ２Ｈ４Ｆ、およびＦ（ＣＦ２）ｎＣＨ２ＣＨ２（ここで、ｎは１〜１０の整数である）からなる群から選択され、各Ｒ１は独立して、Ｈ、Ｃｌ、ＦおよびＣＦ３からなる群から選択され、そして各Ｒ２は独立して、Ｈ、ＦおよびＣＦ３からなる群から選択される）の製造方法であって、反応温度が−６０℃〜−１０℃であり、ただし、Ｒ１Ｒ２Ｃ＝ＣＲ１Ｒ２中の炭素原子の総数が５以下である方法。
【請求項２】
ＨＦが反応器に全く供給されない請求項１に記載の方法。
【請求項３】
ＳｂＦ５とＲＦとを予め混合する工程をさらに含む請求項１に記載の方法。
【請求項４】
少なくとも１つの不活性溶媒もまた存在し、該少なくとも１つの不活性溶媒がＲ３Ｒ４Ｒ５ＣＣＲ４Ｒ５Ｆ（式中、Ｒ３はＣＨ３、ＣＨ２Ｆ、Ｃ２Ｈ４Ｆ、およびＦ（ＣＦ２）ｍＣＨ２ＣＨ２（ここで、ｍは１〜１０の整数である）からなる群から選択され、各Ｒ４は独立して、Ｈ、Ｃｌ、ＦおよびＣＦ３からなる群から選択され、そして各Ｒ５は独立して、Ｈ、ＦおよびＣＦ３からなる群から選択される）、パーフルオロカーボン、パーフルオロエーテルおよびパーフルオロ第三級アミンからなる群から選択される請求項１に記載の方法。
【請求項５】
ＳｂＦ５および少なくとも１部のＲＦを少なくとも１つの不活性溶媒と予め混合する工程をさらに含む請求項４に記載の方法。
【請求項６】
予め混合された混合物中の少なくとも１部のＲＦ対総量の少なくとも１つの不活性溶媒のモル比が９５：５未満である請求項５に記載の方法。
【請求項７】
予め混合された混合物中の少なくとも１部のＲＦ対総量の少なくとも１つの不活性溶媒のモル比が７０：３０未満である請求項６に記載の方法。
【請求項８】
Ｒ３＝Ｒ、Ｒ４＝Ｒ１、Ｒ５＝Ｒ２である請求項７に記載の方法。
【請求項９】
ＲがＣＨ２Ｆであり、Ｒ１＝Ｒ２＝Ｆであり、そして少なくとも１つの不活性溶媒が１，１，１，２，２，３−ヘキサフルオロプロパンである請求項８に記載の方法。
【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
瘢痕の予防、軽減、又は抑制のために用いられる薬剤であって、治療に効果的な量のＷＮＴ５Ａ、又は治療に効果的なその断片若しくはその誘導体から成る薬剤。
【請求項２】
請求項１に記載の薬剤において、
皮膚、眼、血管、末梢神経系又は中枢神経系；腱、靱帯又は筋肉；口腔、唇及び口蓋；肝臓；心臓；脳；消化組織；生殖組織；腹腔；骨盤腔及び胸腔から成る群から選択される組織における瘢痕の予防、軽減、又は抑制のために用いられる薬剤。
【請求項３】
請求項１に記載の薬剤において、
腹部、骨盤若しくは脊椎、又は腱に発生するような癒着の予防、軽減、又は抑制のために用いられる薬剤。
【請求項４】
線維性疾患の予防及び／又は治療のために用いられる薬剤であって、治療に効果的な量のＷＮＴ５Ａ、又は治療に効果的なその断片若しくはその誘導体から成る薬剤。
【請求項５】
請求項４に記載の薬剤において、
皮膚線維症；強皮症；進行性全身性線維症；肺線維症；筋線維症；腎臓線維症；糸球体硬化症；糸球体腎炎；子宮線維症；腎線維症；肝硬変；肝線維症；腹部、骨盤、又は脊椎にて発生するような癒着；慢性閉塞性肺疾患；心筋梗塞を引き起こすような線維症；脳卒中を引き起こすような中枢神経系線維症；アルツハイマー病又は多発性硬化症のような神経変性疾患に関連する線維症；増殖性硝子体網膜症（ＰＶＲ）；再狭窄；子宮内膜症；虚血性疾患及び放射線線維症から成る群から選択される線維性疾患の予防及び／又は治療のために用いられる薬剤。
【請求項６】
請求項１〜請求項５のいずれかに記載の薬剤において、
ＷＮＴ５Ａ、又は治療に効果的なその断片若しくはその誘導体を含んで成る注射剤である薬剤。
【請求項７】
請求項１〜請求項６のいずれかに記載の薬剤において、
ＷＮＴ５Ａ、又は治療に効果的なその断片若しくはその誘導体を含んで成る局所用薬剤である薬剤。
【請求項８】
請求項１〜請求項７のいずれかに記載の薬剤において、
配列番号Ｎｏ．１のＷＮＴ５Ａを含んで成る薬剤。
【請求項９】
請求項１〜請求項８のいずれかに記載の薬剤において、
組換え型のＷＮＴ５Ａを含んで成る薬剤。
【請求項１０】
請求項１〜請求項９のいずれかに記載の薬剤において、
治療上の活性を有するＷＮＴ５Ａの断片が、ＷＮＴ５Ａのパルミトイル化された断片を含んで成る薬剤。
【請求項１１】
請求項１〜請求項１０のいずれかに記載の薬剤において、
治療上の活性を有するＷＮＴ５Ａの誘導体又はその断片が、ペプトイド誘導体である薬剤。
【請求項１２】
請求項８に記載の薬剤において、
創傷の長さ１ｃｍ当たり、又は創傷若しくは線維性疾患の１ｃｍ２当たり２０００ｎｇのＷＮＴ５Ａが２４時間にわたって投与される薬剤。
【請求項１３】
請求項１〜請求項１２のいずれかに記載の薬剤において、
創傷の長さ１ｃｍ当たり、又は創傷若しくは線維性疾患の１ｃｍ２当たり０．２ｎｇより多量のＷＮＴ５Ａが２４時間にわたって投与される薬剤。
【請求項１４】
請求項１に記載の薬剤において、
ＷＮＴ５Ａ、又は治療に効果的なその断片若しくはその誘導体から成り、創傷の長さ１ｃｍ当たり０．０１から３５ピコモルの範囲のＷＮＴ５Ａ、又はその断片若しくはその誘導体が投与される薬剤。
【請求項１５】
請求項４に記載の薬剤において、
ＷＮＴ５Ａ、又は治療に効果的なその断片若しくはその誘導体から成り、線維性疾患に関連する線維症の１ｃｍ２当たり０．０１から３５ピコモルの範囲のＷＮＴ５Ａ、又はその断片若しくはその誘導体が投与される薬剤。
【請求項１６】
ＷＮＴ５Ａ、又は治療に効果的なその断片若しくはその誘導体から成り、瘢痕の予防、軽減、又は抑制のために使用される薬剤であって、創傷の形成前には、治療に効果的な量のＷＮＴ５Ａ、又はその断片若しくはその誘導体が投与され、創傷の形成後には、さらに治療に効果的な量のＷＮＴ５Ａ、又は治療に効果的なその断片若しくはその誘導体が投与される薬剤。
【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
式Ｉａ又はＩｂ：
【化１】
2009542602.tif 000001
の２−アミノベンズイミダゾール誘導体、
又はその任意の異性体若しくはその異性体の任意の混合物、又はその医薬として許容できる塩［式中、
ｍは、０、１又は２であり；
ｎは、０、１又は２であり；
ｏは、０、１又は２であり；
ｐは、０、１又は２であり；
Ｘ及びＹは、互いに独立に、ＣＨ２、Ｓ、Ｏ又はＮＲ”を表し；ここで、Ｒ”は、水素又はアルキルを表し、ただし、Ｘ及びＹは、両方ともにＣＨ２を表すことができず；
Ｒ’は水素又はアルキルを表し；
Ｒ１及びＲ２は、互いに独立に、フェニル基を表し、このフェニル基は、ハロ、トリフルオロメチル、トリフルオロメトキシ、シアノ及びアルキルからなる群から独立に選択される１個又は複数の置換基で場合によって置換されており；
Ｒ４、Ｒ５、Ｒ６及びＲ７は、互いに独立に、水素、ハロ、トリフルオロメチル、トリフルオロメトキシ、シアノ、アルキル、アルコキシ、アミノ、Ｎ−アルキル−アミノ及びＮ，Ｎ−ジアルキル−アミノからなる群から選択される］。
【請求項２】
ｍが、０、１又は２である、請求項１に記載の２−アミノベンズイミダゾール誘導体、又はその医薬として許容できる塩。
【請求項３】
ｎが、０、１又は２である、請求項１又は２に記載の２−アミノベンズイミダゾール誘導体、又はその医薬として許容できる塩。
【請求項４】
ｏが、０、１又は２である、請求項１から３までのいずれか一項に記載の２−アミノベンズイミダゾール誘導体、又はその医薬として許容できる塩。
【請求項５】
ｐが、０、１又は２である、請求項１から３までのいずれか一項に記載の２−アミノベンズイミダゾール誘導体、又はその医薬として許容できる塩。
【請求項６】
Ｘ及びＹが、互いに独立に、ＣＨ２、Ｓ、Ｏ又はＮＲ”を表し；ここで、Ｒ”は、水素又はアルキルを表し、ただし、Ｘ及びＹが、両方ともにＣＨ２を表すことができない、請求項１から５までのいずれか一項に記載の２−アミノベンズイミダゾール誘導体、又はその医薬として許容できる塩。
【請求項７】
Ｒ’が水素又はアルキルを表す、請求項１から６までのいずれか一項に記載の２−アミノベンズイミダゾール誘導体、又はその医薬として許容できる塩。
【請求項８】
Ｒ１及びＲ２が、互いに独立に、フェニル基を表し、このフェニル基が、ハロ、トリフルオロメチル、トリフルオロメトキシ、シアノ及びアルキルからなる群から独立に選択される１個又は複数の置換基で場合によって置換されている、請求項１から７までのいずれか一項に記載の２−アミノベンズイミダゾール誘導体、又はその医薬として許容できる塩。
【請求項９】
Ｒ４、Ｒ５、Ｒ６及びＲ７が、互いに独立に、水素、ハロ、トリフルオロメチル、トリフルオロメトキシ、シアノ、アルキル、アルコキシ、アミノ、Ｎ−アルキル−アミノ及びＮ，Ｎ−ジアルキル−アミノからなる群から選択される、請求項１から８までのいずれか一項に記載の２−アミノベンズイミダゾール誘導体、又はその医薬として許容できる塩。
【請求項１０】
［２−（４−フルオロフェノキシ）エチル］−｛１−［２−（４−フルオロフェノキシ）エチル］−１Ｈ−ベンゾイミダゾール−２−イル｝アミン；
１，３−ビス−［２−（４−フルオロフェノキシ）エチル］−１，３−ジヒドロベンゾイミダゾール−２−イリデンアミン；
１，３−ビス−（４−クロロフェニルスルファニルメチル）−１，３−ジヒドロベンゾイミダゾール−２−イリデンアミン；
１，３−ビス−（４−クロロフェノキシメチル）−１，３−ジヒドロベンゾイミダゾール−２−イリデンアミン；若しくは
１，３−ビス−ベンジルオキシメチル−１，３−ジヒドロベンゾイミダゾール−２−イリデンアミン；
又はそれらの医薬として許容できる塩である、請求項１に記載の２−アミノベンズイミダゾール誘導体。
【請求項１１】
請求項１から１０までのいずれか一項に記載の２−アミノベンズイミダゾール誘導体、又はその任意の異性体若しくはその異性体の任意の混合物、又はその医薬として許容できる塩の治療有効量を、医薬として許容できる少なくとも１種の担体、賦形剤又は希釈剤と共に含む医薬組成物。
【請求項１２】
請求項１から１０までのいずれか一項に記載の２−アミノベンズイミダゾール誘導体、又はその任意の異性体若しくはその異性体の任意の混合物、又はその医薬として許容できる塩を含む医薬。
【請求項１３】
ＳＫチャネルの調節に反応する、ヒトを含む哺乳動物の疾患、障害又は状態の治療、予防又は緩和用の、請求項１２に記載の医薬。
【請求項１４】
ＳＫチャネルの調節に反応する疾患、障害又は状態が、アブサンス発作、加齢による記憶喪失、アルツハイマー病、狭心症、不整脈、喘息、不安、運動失調、注意欠陥障害、脱毛症、双極性障害、膀胱興奮性亢進、膀胱排出障害、膀胱けいれん、脳腫瘍、脳虚血、慢性閉塞性肺疾患、癌、心血管障害、認知機能障害、大腸炎、便秘、けいれん、冠動脈けいれん、冠動脈性心疾患、嚢胞性線維症、認知症、うつ病、ＩＩ型糖尿病、月経困難、てんかん、胃腸障害、胃食道逆流症、胃腸運動性減弱、胃腸運動不全、難聴、高インスリン血症、高血圧、免疫抑制、炎症性腸疾患、炎症性疼痛、間欠性跛行、過敏性腸症候群、虚血、虚血性心疾患、学習欠陥、男性勃起不全、躁うつ病、記憶障害、片頭痛、気分障害、運動ニューロン疾患、ミオキミア、筋緊張性ジストロフィー、筋緊張性筋ジストロフィー、ナルコレプシー、神経因性疼痛、疼痛、パーキンソン病、多発性嚢胞腎、術後イレウス、早産、精神病、精神障害、腎障害、レイノー病、鼻漏、分泌性下痢、発作、シェーグレン症候群、睡眠時無呼吸、痙縮、睡眠障害、卒中、外傷性脳損傷、三叉神経痛、尿失禁、泌尿生殖器障害、血管けいれん、失明又は口腔乾燥である、請求項１３に記載の医薬。
【手続補正書】
【提出日】平成22年6月28日(2010.6.28)
【手続補正１】
【補正対象書類名】特許請求の範囲
【補正対象項目名】全文
【補正方法】変更
【補正の内容】
【特許請求の範囲】
【請求項１】
臓器および/または組織の保存に使用する溶液であって、前記溶液はS-ニトロソチオールの供給源を含み、ここで前記溶液は保存液として使用しているときにグルタチオンまたはグルタチオンを生成する化合物を実質的に含まない前記溶液。
【請求項２】
グルタチオンまたはグルタチオンを生成する化合物を50μMまでの濃度で含む、請求項１記載の溶液。
【請求項３】
S-ニトロソチオールがS-ニトログルタチオンである、請求項１または２記載の溶液。
【請求項４】
S-ニトロソチオールが1μM〜1Mmの量で存在する、請求項１〜３のいずれか１項記載の溶液。
【請求項５】
デンプン;ヒドロキシエチルデンプン;ラクトビオン酸;グルコン酸ナトリウムおよび/またはカリウム;グルコース;CaCl2;リン酸カリウム;EDTAまたは他の金属キレート化剤、例えばキレックス硫酸マグネシウム;ラフィノース;デキストラン;組換えアルブミン;虚血発作保護剤、例えばアデノシン;抗酸化剤、例えばアロプリノールおよび/またはペンタフラクションから選択される1以上のさらなる成分をさらに含み、前記成分を水で調合した、請求項１〜４のいずれか１項記載の溶液。
【請求項６】
抗生物質、例えばペニシリン;インスリン(グルコース取り込みを促進する)および/または抗炎症薬、例えばデキサネタゾンから選択される1以上のさらなる成分をさらに含む、請求項５記載の溶液。
【請求項７】
EDTAまたは他の金属キレート化剤をさらに含む、請求項１〜６のいずれか１項記載の溶液。
【請求項８】
実質的に光不透過性の包装であって、前記包装はその中に請求項１〜７のいずれか１項記載の溶液を含む前記包装。
【請求項９】
他の溶液とは隔離した区画にS-ニトロソチオールが当初位置する請求項８記載の包装であって、破裂によりS-ニトロソチオールが他の溶液と混合することを可能にする破裂可能な膜、壁などを前記区画が含む前記包装。
【請求項１０】
使用前にS-ニトロソチオールが他の溶液成分と混合される前に、安定化液、例えばDMSO中またはDMF中に保存される、請求項１〜９のいずれか１項記載の溶液または包装。
【請求項１１】
保存液として使用する直前にS-ニトロソグルタチオン(50μM〜200μM)、ラクトビオン酸塩(50mM〜200mM)、KH2PO4(10mM〜100mM)、MgSO4(1mM〜20mM)、炭水化物源(例えばラフィノース、グルコースまたはショ糖)(2mM〜50mM)、金属キレート化剤(例えばEDTAまたはキレックス)(0.01mM〜1mM)、虚血発作保護剤、例えばアデノシン(1mM〜10mM)、抗酸化剤、例えばアロプリノール(100μM〜5mM)、抗炎症薬、例えばデキサメタゾン(5mg/l〜30mg/l)、インスリン(10u/l〜100u/l)、抗生物質、例えばペニシリン(50mg/l〜250mg/l)を含む臓器保存液。
【請求項１２】
保存液として使用する直前に、グルタチオンを含まないがS-ニトロソグルタチオンを50μM〜200μMの濃度で含むウィスコンシン大学臓器保存液を含む臓器保存液。
【請求項１３】
a)適切な供給源から臓器および/または組織を入手する工程;及び、
b)請求項１〜７または１１〜１２のいずれか１項記載の溶液中で臓器および/または組織を維持し、および/または請求項１〜７または１１〜１２のいずれか１項記載の溶液を臓器および/または組織に再潅流する工程
を含む臓器および/または組織の保存法。
【請求項１４】
臓器保存液の製造のためのS-ニトロソチオール、特にS-ニトログルタチオンの使用であって、使用のために調合されたときに、前記臓器保存液がグルタチオンまたはグルタチオンを生成する化合物を含まないかまたは実質的に含まない前記使用。
【請求項１５】
保存される臓器および/または組織が腎臓、肝臓、肺または膵臓である、請求項１〜１４のいずれか１項記載の溶液、包装または方法。
【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
式（ＩＩＩａ）の化合物：
【化１】
2009542613.tif 000001
またはその薬理学的に許容できる塩類
［式中：
Ｒ１、Ｒ２は、水素であり、；
Ｒｃ、Ｒｄは、一緒にエチレン橋を表わし；
Ｒ３は、シクロペンチル基を表わし；
Ｒ４ｂ、Ｒ４ｃは水素であり、そしてＲ４ａはフッ素を表わし；
Ｌは、場合により置換されたＣ２−１０アルキルから選択されるリンカーを表わし；
ｎは、０であり；
ｍは、１であり；
Ｒ５は、グラナタニル基を表わす；
］。
【請求項２】
請求項１に記載の化合物であって、ここで前記化合物が4-(9'-シクロペンチル-5'-メチル-6'-オキソ-5',6',8',9'-テトラヒドロスピロ[シクロプロパン-1,7'-ピリミド[5,4-b][1,4]ジアゼピン]-2'-イルアミノ)-3-フルオロ-N-[(1S,5R)-9-メチル-9-アザビシクロ[3.3.1]ノン-7-イル]ベンズアミドである化合物、またはその薬理学的に許容できる塩類。
【請求項３】
一般式（ＩＩＩ）の化合物：
【化２】
2009542613.tif 000002
（式中：Ｒ１〜Ｒ５、Ｒｃ、Ｒｄ、ｍ、ｎ、ｐおよびＬは前記に定めたものである）を製造するための方法であって：
一般式（ＩＶ）の化合物：
【化３】
2009542613.tif 000003
（式中：Ｒ１〜Ｒ３は前記に定めたものであり、Ａは脱離基である）を、場合により置換された一般式（Ｖ）の化合物：
【化４】
2009542613.tif 000004
（式中：ｐおよびＲ４は前記に定めたものであり；Ｒ１０はＯＨ、ＮＨ−Ｌｍ−Ｒ５ｎ、ＯＭｅ、ＯＥｔを表わす）と反応させ、
Ｒ１０がＯＨ、ＯＭｅまたはＯＥｔを表わす場合は、場合により予めエステル基−ＣＯＲ１０を加水分解した後、一般式（ＶＩ）のアミン：
ＮＨ２−Ｌｍ−Ｒ５ｎ
（ＶＩ）
（式中：Ｒ５は前記に定めたものである）と反応させて、式（ＩＩＩ）の化合物を得ることを含む方法。
【請求項４】
一般式（ＸＩ）の化合物：
【化５】
2009542613.tif 000005
（式中：Ｒ１〜Ｒ５、Ｒｃ、Ｒｄ、ｍ、ｎ、ｐおよびＬは前記に定めたものである）を製造するための方法であって：
一般式（ＸＩＩ）の化合物：
【化６】
2009542613.tif 000006
を一般式（ＶＩ）のアミン：
ＮＨ２−Ｌｍ−Ｒ５ｎ
（ＶＩ）
（式中：ＬおよびＲ５は前記に定めたものである）と反応させることを含む方法。
【請求項５】
請求項１または２に記載の式（ＩＩＩａ）の化合物またはその医薬的に許容できる塩を、医薬的に許容できる佐剤、希釈剤またはキャリヤーと共に含む、医薬組成物。
【請求項６】
請求項１または２に記載の式（ＩＩＩａ）の化合物またはその医薬的に許容できる塩を、医薬的に許容できる佐剤、希釈剤またはキャリヤーと混合することを含む、請求項５に記載の医薬組成物の調製方法。
【請求項７】
療法に使用するための、請求項１または２に記載の式（ＩＩＩａ）の化合物またはその医薬的に許容できる塩。
【請求項８】
癌の処置のための医薬の製造における、請求項１または２に記載の式（ＩＩＩａ）の化合物またはその医薬的に許容できる塩の使用。
【請求項９】
ポロ様キナーゼ（Ｐｌｋ）活性を調節するための医薬の製造における、請求項１または２に記載の式（ＩＩＩａ）の化合物またはその医薬的に許容できる塩の使用。
【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
被験者の気道の疾患または障害を治療するための医薬の製造における、水性液体担体、スルホアルキルエーテルシクロデキストリン、および製剤中に溶解したコルチコステロイドの１回用量を含む水性液体製剤の使用であって、ここで製剤は被験者に吸入によって投与され、そして製剤が同様の条件下に投与された懸濁液ベースの製剤にまさる薬物動態学的プロファイルの強化をもたらす、上記使用。
【請求項２】
リザーバを装備したネブライザー；ならびに水性液体担体、溶解促進剤、および１回用量のコルチコステロイドを含む水性液体製剤を含むシステムであって、ここで製剤の噴霧中、ネブライザーが、同様の条件下にネブライザーで噴霧する懸濁液ベースの製剤の濃度増加率に比べて、リザーバの製剤中のコルチコステロイドの濃度増加率の減少パーセントをもたらすシステム。
【請求項３】
コルチコステロイドの用量が、１６０〜１６００ｐｇ*ｈ／ｍｌの平均血漿中ＡＵＣtを与えるのに十分な量で存在し、そしてここでＳＡＥ−ＣＤ対コルチコステロイドのモル比が１０：１より大きい、請求項１に記載の使用。          
【請求項４】
製剤が２５〜４００μｇのコルチコステロイドを含み、そしてここで製剤がコルチコステロイドについて１５０〜１６００ｐｇ*ｈ／ｍｌの血漿中ＡＵＣtを与える、請求項１に記載の使用。
【請求項５】
製剤が少なくとも２５μｇのコルチコステロイドを含み、そしてここで製剤が少なくとも６（ｐｇ*ｈ／ｍｌ）／μｇのコルチコステロイドの、コルチコステロイドの用量で正規化した血漿中ＡＵＣtを与える、請求項１に記載の使用。
【請求項６】
製剤が少なくとも２５μｇのコルチコステロイドを含み、そしてここで製剤が少なくとも８（ｐｇ*ｈ／ｍｌ）／μｇのコルチコステロイドの、コルチコステロイドの用量で正規化した血漿中ＡＵＣiを与える、請求項１に記載の使用。
【請求項７】
シクロデキストリンが、式１：
【化１】
2009542649.tif 000001
［式中、
ｎは、４、５、または６であり、
Ｒ1、Ｒ2、Ｒ3、Ｒ4、Ｒ5、Ｒ6、Ｒ7、Ｒ8、およびＲ9は、それぞれ独立に−Ｏ−また
は−Ｏ−（Ｃ2−Ｃ6アルキレン）−ＳＯ3-基であり、ここでＲ1〜Ｒ9の少なくとも１つは独立に−Ｏ−（Ｃ2−Ｃ6アルキレン）−ＳＯ3-基、−Ｏ−（ＣＨ2）mＳＯ3-基であり、ここでｍは２〜６、−ＯＣＨ2ＣＨ2ＣＨ2ＳＯ3-または−ＯＣＨ2ＣＨ2ＣＨ2ＣＨ2ＳＯ3-で
あり、そして
Ｓ1、Ｓ2、Ｓ3、Ｓ4、Ｓ5、Ｓ6、Ｓ7、Ｓ8、およびＳ9は、それぞれ独立に薬剤として
許容されるカチオンである］
の化合物である、請求項１、３〜５、または６のいずれか１項に記載の使用。
【請求項８】
シクロデキストリンが、「ｘ」が１〜１８の範囲である式IIの化合物（ＳＡＥｘ−α−ＣＤ）、「ｙ」が１〜２１の範囲である式IIIの化合物（ＳＡＥｙ−β−ＣＤ）、または「ｚ」が１〜２４の範囲である式IVの化合物（ＳＡＥｚ−γ−ＣＤ）であり、「ＳＡＥ」がスルホアルキルエーテル置換基を表し、値「ｘ」、「ｙ」、および「ｚ」がＣＤ１分子当たりのスルホアルキルエーテル基の個数に関する平均置換度を表す、請求項１、３〜６、または７のいずれか１項に記載の使用。
【請求項９】
製剤中のコルチコステロイドの用量が懸濁液剤中の用量よりも約２倍低い場合、コルチコステロイド製剤によって与えられたＣｍａｘが、懸濁液ベースの製剤によって与えられたＣｍａｘよりも少なくとも１.５倍高い、請求項１に記載の使用。
【請求項１０】
製剤が、用量非正規化に基づいて１６００〜１８００のＣmax（ｐｇ／ｍｌ）を与える、請求項１に記載の使用。
【請求項１１】
製剤及び懸濁液剤中のコルチコステロイドの用量がほぼ同じ場合、コルチコステロイドの正規化名目用量に基づき、コルチコステロイド製剤によって与えられたＣmaxが、懸濁液ベースの製剤によって与えられたＣmaxよりも少なくとも１.７倍高い、請求項１記載の使用。
【請求項１２】
製剤が、用量非正規化に基づいて２５０〜２５００のＡＵＣinf（ｐｇ*ｈ／ｍｌ）を与える、請求項１に記載の使用。
【請求項１３】
製剤及び懸濁液剤中のコルチコステロイドの用量がほぼ同じ場合、コルチコステロイドの非正規化用量に基づき、コルチコステロイド製剤によって与えられたＡＵＣinfが、懸濁液ベースの製剤によって与えられたＡＵＣinfよりも１.５〜３.５倍高い、請求項１に記載の使用。
【請求項１４】
製剤中のコルチコステロイドの用量が懸濁液剤中のその用量よりも約２倍低い場合、コルチコステロイド製剤によって与えられたＡＵＣinfが、懸濁液ベースの製剤によって与えられたＡＵＣinfよりも少なくとも１.５倍高い、請求項１に記載の使用。
【請求項１５】
製剤が、コルチコステロイドの用量非正規化に基づいて、２０００〜３０００のＡＵＣ0-8hr（ｐｇ*ｈ／ｍｌ）を与える、請求項１に記載の使用。
【請求項１６】
コルチコステロイドが、ブデソニドである請求項１、３〜５または６のいずれか１項に記載の使用。
【請求項１７】
コルチコステロイドが、ジプロピオン酸ブクロメタゾン、モノプロピオン酸ベクロメタゾン、ブデソニド、シクレソニド、デスイソブチリル−シクレソニド、フルニソリド、プロピオン酸フルチカゾン、フランカルボン酸フルチカゾン、フランカルボン酸モメタゾン、イコメタゾンエンブテート、チキソコルトール２１−ピバレート、およびトリアムシノロンアセトニドからなる群から選択される、請求項１、３〜５または６のいずれか１項に記載の使用。
【請求項１８】
製剤は、空気ジェット式ネブライザー、超音波ネブライザー、電子ネブライザー、振動膜ネブライザー、振動メッシュネブライザー、振動板ネブライザー、振動発生器および水性チャンバーを含むネブライザー、およびノズルアレイを含むネブライザーからなる群から選択されるネブライザーを用いて投与される、請求項１、３〜５、または６のいずれか１項に記載の使用。
【請求項１９】
コルチコステロイド、ＳＡＥ−ＣＤ、および水性液体担体を高せん断混合することからなるコルチコステロイド製剤の調製方法であって、ここでＳＡＥ−ＣＤがコルチコステロイドを溶解するのに十分な量で存在する方法。
【請求項２０】
高せん断混合は、超音波発生装置、ナローゲージシリンジ、ミキサー／ホモジナイザー、回転子／固定子ミキサー、又は鋸歯ミキサーを用いて実施される、請求項１９に記載の方法。
【手続補正書】
【提出日】平成22年3月29日(2010.3.29)
【手続補正１】
【補正対象書類名】明細書
【補正対象項目名】００５２
【補正方法】変更
【補正の内容】
【００５２】
【表３Ｂ】
2009542678.tif 000001
上記に示すように、これらの追加のプロトタイプを、また標準および加速条件下で貯蔵した。３種類のプロトタイプすべての溶解プロファイルを図４に示す。データから、ストレスをかけた４０／４００ｍｇ錠剤の溶解速度は、崩壊剤とＡＰＩの比を１：１に増大させることによって著しく改善されたことが明らかである（図３および４を比較）。逆に、ストレスをかけた４０／８００ｍｇ錠剤の崩壊剤とＡＰＩの比を低減することによって、溶解速度は著しく遅延した。これらのデータは、錠剤の含水率および製剤内の崩壊剤とＡＰＩの比の操作が錠剤溶解速度に影響を及ぼすことを示唆する。
【手続補正書】
【提出日】平成22年6月4日(2010.6.4)
【手続補正１】
【補正対象書類名】明細書
【補正対象項目名】００４８
【補正方法】変更
【補正の内容】
【００４８】
図３０から図３１は、シフターに組み込まれた図２７の変形された半組立部品２１０Ｄを内蔵するシフターの側面図である。図３０は、駐車位置Ｐにロックされたシフトレバーのつめ２０７Ｄを示し、図３１は、つめ２０７Ｄがロック解除されてシフトレバーが異なるギア位置まで動くことができるようにロック解除／解放位置に動かされた阻止部材２０９Ｄを示す。図３０では、磁石２１７Ｄと２１８Ｄが磁気的に反発し、阻止部材２０９Ｄは、シフトレバーの動きが制御される(即ち、シフトレバーがその駐車位置Ｐでロック／保持される）安定したつめロック位置に保持される。図３０では、ＳＭＡワイヤ２１９Ｄは作動されていない（即ち、ワイヤに電流が流れていない)。図３１では、回路基板２２３Ｄは、車両に取り付けられたセンサ(即ち、ブレーキスイッチとイグニッションスイッチ)から、車両のブレーキパッドが押され且つイグニッションスイッチがオンにされたことを検出する。従って、回路基板２２３Ｄ上の回路は、ＳＭＡワイヤ２１９Ｄに電流を流し、その結果ワイヤ２１９Ｄを短くする相変化が起きる。これにより、駆動部材２４９Ｄが回転し、磁石２１７Ｄが磁石２１８Ｄから離れ、且つ磁石２３０Ｄが磁石２１８Ｄに近づく。磁石２１８Ｄは、磁石２１７Ｄと逆極性で配置される。従って、磁石２１７Ｄが離れるとき、磁石２１７Ｄと２１８Ｄの間の磁気反発力がなくなる。磁石２３０Ｄが磁石２１８Ｄに近づくにつれて、磁気引力が強くなる。これにより、阻止部材２０９Ｄがつめロック位置から引っ張られ(図３０)、ロック解除／解放位置に駆動される(図３１)。ばねを使用して阻止部材２０９Ｄを好きな原位置に付勢することができる。
【手続補正２】
【補正対象書類名】明細書
【補正対象項目名】００４９
【補正方法】変更
【補正の内容】
【００４９】
図３２から図３３は、変形された阻止部材２０９Ｅと一緒にシフターに組み込まれた、図２７と類似の変形された半組立部品２１０Ｅの側面図であり、磁石２１８Ｅの磁気極性は、図２７の磁石２１８Ｄと逆である。（換言すると、磁石２１７Ｅと２１８Ｅは引き合って、阻止部材２０９Ｅを、つめの動きを阻止するシフトレバーロック駐車位置に保持し、磁石２１８Ｅと２３０Ｅは、互いに向かい合ったときに反発する）。しかしながら、機能と動作は、図３０から図３１に示したものと極めて類似している。詳細には、変形された阻止部材２０９Ｅは、下端２６１Ｅの磁石２１８Ｅとつめ係合上端２６２Ｅとの間にある枢動点２６０Ｅで枢動される。図３２は、シフトレバーのつめが駐車位置にロックされるように磁石２１７Ｅと２１８Ｅの引力によって駐車ロック位置に保持された阻止部材２０９Ｅを示す。図３３は、シフトレバーが異なるギア位置に動くことができるように磁石２１８Ｅと２３０Ｅの反発力によってロック解除つめ解放位置に保持された阻止部材２０９Ｅを示す。
【手続補正３】
【補正対象書類名】図面
【補正対象項目名】図６
【補正方法】変更
【補正の内容】
【図６】
2009542506.tif 000001
【手続補正４】
【補正対象書類名】図面
【補正対象項目名】図３０
【補正方法】変更
【補正の内容】
【図３０】
2009542506.tif 000002
【手続補正５】
【補正対象書類名】図面
【補正対象項目名】図３１
【補正方法】変更
【補正の内容】
【図３１】
2009542506.tif 000003
【手続補正６】
【補正対象書類名】図面
【補正対象項目名】図３２
【補正方法】変更
【補正の内容】
【図３２】
2009542506.tif 000004
【手続補正７】
【補正対象書類名】図面
【補正対象項目名】図３３
【補正方法】変更
【補正の内容】
【図３３】
2009542506.tif 000005
【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
少なくとも約０．７ｋＪ／ｍ３の圧縮仕事及び１０，０００Ｒａｙｌ／ｍ以下の空気流抵抗を呈する結合繊維不織布ウェブを備える第１の層と、
前記第１の層に結合された第２の層であって、１０，０００Ｒａｙｌ／ｍを超える空気流抵抗を有し、空気透過性である第２の層とを備える遮音組織。
【請求項２】
前記結合繊維不織布ウェブは、
ａ）第１及び第２の捲縮ステープル有機熱可塑性繊維を備える嵩高の目の粗い不織布ウェブと、
ｂ）不規則に配置した柔軟な有機熱可塑性繊維を織り交ぜたものを備える均一で嵩高の不織布ウェブと、
ｃ）弾性熱可塑性重合体の相互に係合した連続的な縮んだ粗い長繊維と、
ｄ）不規則に混ぜ合わせられ且つ不規則に結合された疎水性繊維を備える、スポンジ様の圧縮性不織布ウェブとのうちの少なくとも１つを備える、請求項１に記載の遮音組織。
【請求項３】
少なくとも約０．７ｋＪ／ｍ３の圧縮仕事及び１０，０００Ｒａｙｌ／ｍ以下の空気流抵抗を呈する結合繊維不織布ウェブを備える第１の層と、
前記第１の層に結合された第２の層であって、１０，０００Ｒａｙｌ／ｍを超える空気流抵抗を有する第２の層とを備える遮音組織を設ける工程と、
前記遮音組織の前記第１の層を追加層に結合する工程とを含む遮音する方法。
【請求項４】
前記追加層は、マスチック、発泡体、チョップトガラス繊維、布地、フィルム、及びそれらの組み合わせからなる群から選択される、請求項３に記載の方法。
【手続補正書】
【提出日】平成22年7月6日(2010.7.6)
【手続補正１】
【補正対象書類名】特許請求の範囲
【補正対象項目名】請求項８
【補正方法】変更
【補正の内容】
【請求項８】
前記熱処理の際に形成する凝集物が、後続の段階において、湿式粉砕によって細化され、該湿式粉砕時又はその後に、得られた懸濁液にコーティング剤が添加されることを特徴とする、請求項１に記載の方法。
【手続補正２】
【補正対象書類名】特許請求の範囲
【補正対象項目名】請求項１０
【補正方法】変更
【補正の内容】
【請求項１０】
前記凝集物を脱凝集化すると同時に、前記ナノ顔料の表面を改質剤により、好ましくはシラン又はシロキサンにより該表面を変えることを特徴とする、請求項１〜９のいずれか一項に記載の方法。
【手続補正３】
【補正対象書類名】特許請求の範囲
【補正対象項目名】請求項１１
【補正方法】変更
【補正の内容】
【請求項１１】
前記凝集物が撹拌ボールミル中での粉砕よって脱凝集化されることを特徴とする、請求項１０に記載の方法。
【手続補正４】
【補正対象書類名】特許請求の範囲
【補正対象項目名】請求項１２
【補正方法】変更
【補正の内容】
【請求項１２】
前記凝集物が、２０〜９０℃における粉砕又は超音波作用によって脱凝集化されることを特徴とする、請求項１０に記載の方法。
【手続補正５】
【補正対象書類名】特許請求の範囲
【補正対象項目名】請求項１３
【補正方法】変更
【補正の内容】
【請求項１３】
前記脱凝集化が、溶剤としてのＣ１−Ｃ４アルコール中で行われることを特徴とする、請求項１０に記載の方法。
【手続補正６】
【補正対象書類名】特許請求の範囲
【補正対象項目名】請求項１４
【補正方法】変更
【補正の内容】
【請求項１４】
前記脱凝集化が、アセトン、テトロヒドロフラン、ブチルアセテート、及び塗料工業において使用されるその他の溶剤中で行われることを特徴とする、請求項１０に記載の方法。
【手続補正７】
【補正対象書類名】特許請求の範囲
【補正対象項目名】請求項１５
【補正方法】変更
【補正の内容】
【請求項１５】
前記ナノ粒子とコーティング剤とのモル比率が１：１〜１０：１であることを特徴とする、請求項８に記載の方法。
【手続補正８】
【補正対象書類名】明細書
【補正対象項目名】００２１
【補正方法】変更
【補正の内容】
【００２１】
オリゴエーテルの残基の例は、-(CaH2a-O)b-CaH2a-またはO-(CaH2a-O)b-CaH2a-O（式中、２≦ａ≦１２、かつ、１≦ｂ≦６０）のタイプの化合物であり、例えば、ジエチレングリコール−、トリエチレングリコール−、又はテトラエチレングリコール−残基、ジプロピレングリコール−、トリプロピレングリコール−、テトラプロピレングリコール−残基、ジブチレングリコール−、トリブチレングリコール−、又はテトラブチレングリコール−残基である。オリゴエステルの残基の例は、-CbH2b-(C(CO) CaH2a-(CO) O-CbH2b-)c-または-O-CbH2b-(C(CO) CaH2a-(CO) O-CbH2b-)c-O-（式中、ａ及びｂは、異なるかまたは同一であり、３≦ａ≦１２、３≦ｂ≦１２、１≦ｃ≦３０である）のタイプの化合物であり、例えば、ヘキサンジオールとアジピン酸からなるオリゴエステルである。
b)   (RO)3Si(CH2)m-R'のタイプのオルガノシラン
R = アルキル、例えばメチル−、エチル−、プロピル−、
m = ０．１〜２０
R' =  メチル−、フェニル、
-C4F9；OCF2-CHF-CF3、-C6F13、-O-CF2-CHF2
-NH2、-N3、SCN、-CH=CH2、-NH-CH2-CH2-NH2、
-N-(CH2-CH2-NH2)2
-OOC(CH3)C = CH2
-OCH2-CH(O)CH2
-NH-CO-N-CO-(CH2)5
-NH-COO-CH3、-NH-COO-CH2-CH3、-NH-(CH2)3Si(OR)3
-Sx-(CH2)3)Si(OR)3
-SH
-NR'R''R''' (R' = アルキル、フェニル、R'' = アルキル、フェニル、R''' = H、アルキル、フェニル、ベンジル、
C2H4NR''''（式中、R'''' =H、アルキル）
【手続補９】
【補正対象書類名】  明細書
【補正対象項目名】  ００２５
【補正方法】        変更
【補正の内容】
【００２５】
α，ω−ＯＨ基の代わりに、−ＮＨＲ''''（式中、Ｒ''''はＨ又はアルキル）を有する対応する二官能性化合物、例えばポリシロキサン鎖上にランダムに分布した（シクロ）アルキルアミノ基又は（シクロ）アルキルイミノ基をポリマー鎖上に有する、ヴァッカー（Ｗａｃｋｅｒ）社、ダウ・コーニング（Ｄｏｗ  Ｃｏｒｎｉｎｇ）社、バイエル（Ｂａｙｅｒ）社、ローディア（Ｒｈｏｄｉａ）社などの一般的に知られたアミノシリコーンオイルも使用可能である。
ｃ）(RO)3Si(CnH2n+1)及び(RO)3Si(CnH2n+1)のタイプのオルガノシラン：
式中、Ｒは、アルキル、例えばメチル、エチル−、ｎ−プロピル−、イソプロピル、ブチル−であり、
ｎは１〜２０である。
R'x(RO)ySi(CnH2n+1)及び(RO)3Si(CnH2n+1)のタイプのオルガノシラン：
式中、Ｒは、アルキル、例えばメチル−、エチル−、ｎ−プロピル−、イソプロピル−、ブチル−であり、
Ｒ'は、アルキル、例えばメチル−、エチル−、ｎ−プロピル−、イソプロピル−、ブチル−、又はシクロアルキルであり、
ｎは、１〜２０の範囲の整数であり、
ｘ＋ｙは、３であり、
ｘは、１又は２であり、そして、
ｙは、１又は２である。
(RO)3Si(CH2)m-R'のタイプのオルガノシラン：
式中、
Ｒは、アルキル、例えばメチル−、エチル−、プロピル−であり、
ｍは０．１〜２０の範囲の数であり、
Ｒ'は、メチル−、フェニル、-C4F9；  OCF2-CHF-CF3、-C6F13、-O-CF2-CHF2、-NH2、-N3、
-SCN、-CH=CH2、-NH-CH2-CH2-NH2、-N-(CH2-CH2-NH2)2、-OOC(CH3)C=CH2、
-OCH2-CH(O)CH2、-NH-CO-N-CO-(CH2)5、-NH-COO-CH3、
-NH-COO-CH2-CH3、
-NH-(CH2)3Si(OR)3、-Sx-(CH2)3)Si(OR)3、-SH-NR'R''R'''（式中、R'はアルキル、フェニル、Ｒ''は、アルキル、フェニル、Ｒ'''は、Ｈ、アルキル、フェニル、ベンジル、C2H4NR''''R'''''（式中、Ｒ''''はＡ、アルキルであり、Ｒ'''''は、Ｈ、アルキルである）である。
【手続補正書】
【提出日】平成21年11月19日(2009.11.19)
【手続補正１】
【補正対象書類名】特許請求の範囲
【補正対象項目名】全文
【補正方法】変更
【補正の内容】
【特許請求の範囲】
【請求項１】
非金属ロダン化物が熱分解されて窒化炭素材料を与えることを特徴とする、窒化炭素材料の製造方法。
【請求項２】
非金属ロダン化物はロダン化アンモニウムであることを特徴とする、請求項１に記載の方法。
【請求項３】
熱分解は真空化条件で行われることを特徴とする、請求項１に記載の方法。
【請求項４】
圧力は１０-1〜１０-9ｍｍＨｇであることを特徴とする、請求項３に記載の方法。
【請求項５】
熱分解は不活性ガス雰囲気下で行われることを特徴とする、請求項３に記載の方法。
【請求項６】
不活性ガス雰囲気は窒素を含むことを特徴とする、請求項５に記載の方法。
【請求項７】
不活性ガス雰囲気はアルゴンを含むことを特徴とする、請求項５に記載の方法。
【請求項８】
熱分解はＴmax≦８５０℃、Ｔmin≦周囲温度の勾配で行われることを特徴とする、請求項１〜７のいずれか１項に記載の方法。
【請求項９】
熱分解はＴmax≦６５０℃、Ｔmin≦周囲温度の勾配で行われることを特徴とする、請求項１〜８のいずれか１項に記載の方法。
【請求項１０】
熱分解はＴmax≦５００℃、Ｔmin≦周囲温度の勾配で行われることを特徴とする、請求項１〜９のいずれか１項に記載の方法。
【請求項１１】
窒化炭素材料はＣ3Ｎ4の化学式を有することを特徴とする、請求項１に記載の方法。
【請求項１２】
窒化炭素材料は黒鉛状構造を有することを特徴とする、請求項１又は１１に記載の方法。
【請求項１３】
窒化炭素材料は、製造される窒化炭素材料が痕跡量のイオウを含まない方法で製造されることを特徴とする、請求項１〜１２のいずれか１項に記載の方法。
【請求項１４】
窒化炭素材料は、製造される窒化炭素材料が、炭素、窒素、及び水素以外の他の元素を含まない方法で製造されることを特徴とする、請求項１〜１３のいずれか１項に記載の方法。
【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
固体または液体のための容器であって、
内容物を保持する中空本体部と、
本体部と協働して容器を閉じる蓋部と、
最後に服用した時または次に服用すべき時を指示するための服用遵守支援デバイスとを備え、
服用遵守支援デバイスは、移動可能な第１部分と固定された第２部分とを有し、
中空本体部に対して蓋部が移動したとき、第１部分が第２部分における新しい指示位置まで自動的に移動すること特徴とする容器。
【請求項２】
容器の蓋部を開くか、あるいは閉じたときに、第１部分が第２部分における新しい指示位置まで自動的に移動すること特徴とする請求項１に記載の容器。
【請求項３】
第２部分は、最後に服用した時または次に服用すべき時を指示する時間指示手段であること特徴とする請求項１または２に記載の容器。
【請求項４】
第２部分の時間指示手段は、中空本体部に組み込まれた部品であること特徴とする請求項３に記載の容器。
【請求項５】
第２部分は、中空本体部の表面に設けた浮き彫りであること特徴とする請求項３に記載の容器。
【請求項６】
第２部分は、中空本体部上に設けたラベルであり、このラベルが最後に服用した時または次に服用すべき時を指示する時間指示手段を有すること特徴とする請求項３に記載の容器。
【請求項７】
第２部分の時間指示手段は、曜日および／時間を指示するサインを含むこと特徴とする請求項３〜６のいずれか１に記載の容器。
【請求項８】
第２部分の時間指示手段は、昼および／夜を指示するサインを含むこと特徴とする請求項３〜６のいずれか１に記載の容器。
【請求項９】
第１部分の一部が容器の内側に配設されていること特徴とする請求項１または２に記載の容器。
【請求項１０】
第１部分の一部が容器の壁部を貫通して、ユーザに対して露出していること特徴とする請求項１または２に記載の容器。
【請求項１１】
第１部分は、容器の壁部を貫通した一部において、第２部分の時間指示手段を指示するインジケータを有すること特徴とする請求項１０に記載の容器。
【請求項１２】
第１部分は、蓋部の一部と係合する手段であって、容器の蓋部の開閉に伴い、新しい指示位置に至るまで第１部分を移動させるものを有すること特徴とする請求項１または２に記載の容器。
【請求項１３】
第１部分は円形の指示ホイールであり、指示ホイールの全周には複数の歯が設けられていること特徴とする請求項１２に記載の容器。
【請求項１４】
容器のための服用遵守支援デバイスなどであって、
最後に服用した時または次に服用すべき時を指示するための移動可能な第１部分および容器上にある固定された第２部分を有し、
中空本体部に対して蓋部が移動したとき、第１部分が固定された第２部分における新しい指示位置まで自動的に移動すること特徴とする服用遵守支援デバイス。
【請求項１５】
請求項１〜１３に記載の容器または請求項１４に記載の服用遵守支援デバイスの使用。
【手続補正書】
【提出日】平成22年4月27日(2010.4.27)
【手続補正１】
【補正対象書類名】特許請求の範囲
【補正対象項目名】全文
【補正方法】変更
【補正の内容】
【特許請求の範囲】
【請求項１】
２つの相対する端壁部；
平面の床部により互いに分離された２つの平面の側壁部から形成されたほぼ樋状の形状を有し、該端壁部へ取り付けられた本体；および
該容器へ取り付けられ、該側壁部のそれぞれおよび該端壁部を補強するように形成された補強用バンドからなり、
該補強用バンドが、擦り落とす縁を画成するのに十分な距離で該結合材容器の該上部の縁から離れていることを特徴とする結合材容器。
【請求項２】
該本体が一体化している請求項１の容器。
【請求項３】
該側壁部のそれぞれが、それぞれの共通の丸みをおびた稜を該床部と共有している請求項１又は２の容器。
【請求項４】
２つの相対する端壁部；
角のない共通の稜を経て床部に取り付けられた２つの平面の側壁部から形成されたほぼ樋状の形状を有し、該端壁部へ取り付けられた本体からなり、
該端壁部のそれぞれおよび該側壁部が該床部に対して鈍角を形成し、該側壁部および該端壁部が壁部の上部の縁に近く実質的に厚い部分を有し、そしてそれぞれの側壁部に、該側壁部の該上部の縁に隣接して擦り落とす縁が設けられていることを特徴とする結合材容器。
【請求項５】
該本体が一体化している請求項４の容器。
【請求項６】
該角のない共通の稜が丸みをおびており、そして約１０２°−１０４°の角度を画成している請求項４の容器。
【請求項７】
該床部の断面の幅と、該側壁部および該端壁部の上部の縁により画成される頂部の開口の断面の幅との比が、おおよそ０．５５と０．７５との間にある請求項４〜６のいずれか１項の容器。
【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
プロゲストゲン、エストロゲン、テトラヒドロ葉酸又は医薬として許容されるその塩、及び少なくとも１つの医薬として許容される賦形剤又は担体を含む固体医薬組成物であって、ここで、プロゲストゲンのインビトロ溶解が、溶解媒質として３７℃で水を用い撹拌速度として５０ｒｐｍを用いるＵＳＰ  ＸＸＩＸパドル方法ＩＩにより決定された場合に、組成物から少なくとも７０％が３０分以内に溶解するようなものであり、そしてビタミンＢ１２を含有していない医薬組成物。
【請求項２】
プロゲストゲンが、レボ−ノルゲストレル、ノルゲストレル、ノルエチンドロン（ノルエチステロン）、酢酸ノルエチンドロン（ノルエチステロン）、ジエノゲスト、二酢酸エチノジオール、ジドロゲステロン、酢酸メドロキシプロゲステロン、ノルエチノドレル、アリルエストレノール、リネストレノール、酢酸キンゲスタノール、メドロゲストン、ノルゲストリエノン、ジメチステロン、エチステロン、酢酸クロルマジノン、メゲストロール、プロメゲストン、デソゲストレル、３−ケト−デソゲストレル、ノルゲスチメート、ゲストデン、チボロン、酢酸シプロテロン及びドロスピレノンからなる群から選択される、請求項１に記載の組成物。
【請求項３】
プロゲストゲンがドロスピレノンである、請求項２に記載の組成物。
【請求項４】
エストロゲンが、エチニルエストラジオール、エストラジオール、スルファミン酸エストラジオール、吉草酸エストロジオール、安息香酸エストラジオール、エストロン、メストラノール及びエストロン硫酸からなる群から選択されている、請求項１〜３のいずれか１項に記載の組成物。
【請求項５】
エストロゲンがエチニルエストラジオールである、請求項４に記載の組成物。
【請求項６】
プロゲストゲンがドロスピレノンであり、エストロゲンがエチニルエストラジオールである、請求項１〜５のいずれか１項に記載の組成物。
【請求項７】
テトラヒドロ葉酸が５−メチル−（６Ｓ）−テトラヒドロ葉酸又は医薬として許容されるその塩である、請求項１〜６のいずれか１項に記載の組成物。
【請求項８】
５−メチル−（６Ｓ）−テトラヒドロ葉酸の塩がカルシウム塩である、請求項７に記載の組成物。
【請求項９】
５−メチル−（６Ｓ）−テトラヒドロ葉酸のカルシウム塩が結晶形態である、請求項８に記載の組成物。
【請求項１０】
結晶形態がＩ型結晶形態である、請求項９に記載の組成物。
【請求項１１】
組成物が粒状組成物である、請求項１〜１０のいずれか１項に記載の組成物。
【請求項１２】
請求項１〜１１のいずれか１項に記載の組成物を含む固体経口剤形。
【請求項１３】
単位剤形である、請求項１２に記載の固体経口剤形。
【請求項１４】
固体経口投薬量単位が錠剤、カプセル又はサシェの形態である、請求項１３に記載の固体経口剤形。
【請求項１５】
２〜４ｍｇのドロスピレノンを含む、請求項１２〜１４のいずれか１項に記載の固体経口剤形。
【請求項１６】
０．０１〜０．０５ｍｇのエチニルエストラジオールを含む、請求項１２〜１５のいずれか１項に記載の固体経口剤形。
【請求項１７】
（ｉ）プロゲストゲン、エストロゲン及び少なくとも１つの医薬として許容される賦形剤を造粒プロセスに供し、
（ｉｉ）工程（ｉ）で形成された顆粒とテトラヒドロ葉酸若しくはその塩を混合し、及び
（ｉｉｉ）場合により、造粒プロセスを続行し、及び／又は、
（ｉｖ）場合により、顆粒を収集する
工程を含む、請求項１〜１１のいずれか１項に記載の組成物の製造プロセス。
【請求項１８】
造粒工程が流動床造粒により実施される、請求項１７に記載のプロセス。
【請求項１９】
（ｉ）請求項１７又は１８に定義されるプロセスに従って顆粒を調製し、
（ｉｉ）顆粒を固体経口剤形に製剤化する
工程を含む、請求項１２〜１６のいずれか１項に記載の固体経口剤形の製造プロセス。
【請求項２０】
包装単位内に入れられた請求項１２〜１６のいずれか１項に記載の２１、２２、２３又は２４個の、個別に包装され単独に取出すことのできる固体経口投薬量単位及び包装単位内に入れられた単一の活性作用物質としてテトラヒドロ葉酸を含有する７、６、５又は４個の、個別に包装され単独に取出すことのできる固体経口投薬量単位で基本的に構成されている医薬調製物又はキット。